(57)【特許請求の範囲】
【請求項１】
バーコードに照射する光を発する発光部と、この発光部より発光された光の光路を変更するガルバノミラーをコイルにより回動して前記バーコードの走査を行う走査ユニットと、前記バーコードにより反射された光を受ける受光部と、この受光部が受けた光を電気信号に変換して当該電気信号をデコードするデコード部と、前記発光部と前記走査ユニットと前記受光部と前記デコード部を制御する制御部とを具備するバーコードスキャナにおいて、
親基板に子基板を結合して得られるプリント配線板であって、前記子基板の端面から突出していると共に前記子基板の一面上に実装された前記走査ユニットにおけるコイルの端部導線が前記脚部に巻回された脚部と、前記コイルが巻回された前記脚部を挿入するために前記親基板に形成された穴と、前記穴の周囲に設けられた配線パターンランド部と、前記脚部の両面に設けられたランド部とを具備し、前記コイルの端部導線が巻回された前記脚部が、前記穴に挿入された状態において、前記端部導線と前記配線パターンランド部が半田付けされるプリント配線板を採用し、前記走査ユニットを前記子基板に実装し、前記発光部と前記受光部と前記デコード部と前記制御部とを前記親基板に実装したことを特徴とするプリント配線板を用いたバーコードスキャナ。
【発明の詳細な説明】
【０００１】
【発明の属する技術分野】
この発明は、親基板に子基板を結合して得られるプリント配線板を用いたバーコードスキャナに関するものである。
【０００２】
【従来の技術】
従来の斯種プリント配線板にあっては、図６に示されるような構成により親基板に子基板を結合している。つまり、親基板１００の所要部に穴１０１が穿設され、その周囲には配線パターン１０２へと連接されているランド部１０３が設けられ、必要に応じて穴１０１の内壁にもランド部１０３が入り込んでいる。
【０００３】
一方、子基板２００においては、その端面の所定位置に突出した脚部２０１が形成されており、脚部２０１の両面にランド部２０２が設けられている。子基板２００の一面側にはその面のランド部２０２に連接する配線パターン２０３が形成されており、その配線パターン２０３の要部にはスルーホール２０４が形成され、裏面側の配線パターンを介して裏面側のランド部に連接されている。
【０００４】
そして、コイル２１０が子基板２００に実装され、コイル２１０と親基板１００側の回路との接続を行う必要がある場合には、配線パターン２０３に上記コイル２１０の導線端部が半田付けされる。
【０００５】
また、脚部２０１を親基板１００の穴１０１へ挿入して脚部２０１のランド部２０２と親基板１００のランド部１０３とを半田付けにより結合し、子基板２００を親基板１００に立設した状態で固定する。
【０００６】
【発明が解決しようとする課題】
しかしながら、上記のプリント配線板によると子基板に配線パターンおよびスルーホールを設ける必要があり、コスト高を招来した。
【０００７】
本発明は上記のような従来のプリント配線板における問題点を解決せんとしてなされたもので、その目的は、子基板に配線パターンおよびスルーホールを設けることなく子基板と親基板とを適切に半田付して固定することのできるプリント配線板を用いたバーコードスキャナを提供することである。
【０００８】
【課題を解決するための手段】
本発明に係るプリント配線板を用いたバーコードスキャナは、バーコードに照射する光を発する発光部と、この発光部より発光された光の光路を変更するガルバノミラーをコイルにより回動して前記バーコードの走査を行う走査ユニットと、前記バーコードにより反射された光を受ける受光部と、この受光部が受けた光を電気信号に変換して当該電気信号をデコードするデコード部と、前記発光部と前記走査ユニットと前記受光部と前記デコード部を制御する制御部とを具備するバーコードスキャナにおいて、親基板に子基板を結合して得られるプリント配線板であって、前記子基板の端面から突出していると共に前記子基板の一面上に実装された前記走査ユニットにおけるコイルの端部導線が前記脚部に巻回された脚部と、前記コイルが巻回された前記脚部を挿入するために前記親基板に形成された穴と、前記穴の周囲に設けられた配線パターンランド部と、前記脚部の両面に設けられたランド部とを具備し、前記コイルの端部導線が巻回された前記脚部が、前記穴に挿入された状態において、前記端部導線と前記配線パターンランド部が半田付けされるプリント配線板を採用し、前記走査ユニットを前記子基板に実装し、前記発光部と前記受光部と前記デコード部と前記制御部とを前記親基板に実装したことを特徴とする。
【００１０】
本発明に係るプリント配線板は、前記脚部に前記穴に挿入された状態において抜け止め防止用のストッパが形成されていることを特徴とする。
【００１２】
【発明の実施の形態】
以下添付図面を参照してプリント配線板を用いた本発明に係るバーコードスキャナを説明する。各図において同一の構成要素は同一の符号を付して重複する説明を省略する。本発明に用いるプリント配線板にあっては、図１に示されるような構成により親基板に子基板を結合している。つまり、親基板１の所要部に穴１１が穿設され、その周囲には配線パターン１２へと連接されているランド部１３が設けられ、必要に応じて穴１１の内部にもランド部１３が入り込んでいる構成も採用される。
【００１３】
一方、子基板２においては、その端面の所定位置に突出した脚部２１が形成されており、コイル３０が子基板２に実装され、コイル３０と親基板１側の回路との接続を行う必要がある場合には、コイル３０の導線端部を脚部２１に例えば数ターン巻き付けて半田付メッキ等により脚部２１に一体化させる。
【００１４】
そしてコイル３０の導線端部が巻かれて一体化された脚部２１を親基板１の穴１１へ挿入して脚部２１の導線端部と親基板１のランド部１３とを半田付けにより結合し、子基板２を親基板１に立設した状態で固定する。
【００１５】
係る構成により、子基板に配線パターンおよびスルーホールを設ける必要がなく、コストの低減を図ることができる。
【００１６】
次に、上記プリント配線板を用いた本発明に係るバーコードスキャナを説明する。バーコードスキャナは、図２に示されるように発光部４１、走査ユニット４２、受光部４３、デコード部４４及び制御部４０により構成されている。発光部４１は制御部４０による指示に基づき光を放射するものである。走査ユニット４２は上記発光部４１から放射された光を反射するガルバノミラー５１を備え、制御部４０による制御に基づきガルバノミラー５１を回動させて光によりバーコード４５上を走査する。
【００１７】
上記走査ユニット４２は、図３に示されるように図１において説明した子基板２に搭載されているもので、２つのコイル５２ａ、５２ｂにより支持機構５３を挟んだ構成を有する。支持機構５３は子基板２の面に垂直な軸を中心として回動可能に子基板２に設けられている。
【００１８】
支持機構５３のコイル５２ａ、５２ｂ側は凹部とされ、この凹部にはマグネット５４ａ、５４ｂが設けられている。支持機構５３の頭部は偏平に広がっており、その上には側面を反射面とするガルバノミラー５１が設けられている。コイル５２ａ、５２ｂに対して通電することにより電磁作用によって支持機構５３が回動し、ガルバノミラー５１における反射面の方向を変化させ光がバーコード４５上を走査するようにしている。
【００１９】
バーコード４５を走査した光は反射して受光部４３へ至り、電気信号に変換されてデコード部４４へ送られ、デコード部４４によりバーコード４５に対応する符号へと変換されて上位のコンピュータ等へ送られる。
【００２０】
以上のバーコードリーダの構成要素の内、走査ユニット４２が図３に示したように子基板２に搭載され、他の構成要素、即ち、発光部４１、受光部４３、デコード部４４及び制御部４０は、親基板１に実装されている。
【００２１】
親基板１と子基板２は、図１に示したものであり、コイル５２ａ（５２ｂ）の導線端部が巻かれて一体化された脚部２１を親基板１の穴１１へ挿入して脚部２１の導線端部と親基板１のランド部１３とを半田付けにより結合し、子基板２を親基板１に立設した状態で固定されバーコードスキャナとされる。
【００２２】
係る構成により、子基板に配線パターンおよびスルーホールを設ける必要がなく、バーコードスキャナのコスト低減を図ることができる。
【００２３】
以上のプリント配線板においては、図１に示される脚部２１の構成を採用したが、例えば、図４に示すような脚部２１Ａや図５に示す脚部２１Ｂの構成を採用することができる。
【００２４】
つまり、図４の脚部２１Ａは、付け根部分７１はやや幅太に形成され、中央部７２において幅が細くされ、先端部７３において再び幅太にされている。先端部７３は、親基板１の穴１１の大きさよりやや大きくされ、上記穴に挿入され通過した後に抜け落ちを防止するストッパとなっている。コイルの導体端部は中央部に巻回される。
【００２５】
また、図５の脚部２１Ｂは、その表面の一面にランド部８１が設けられ、コイルの導体端部をランド部８１に半田付けする際の作業を容易している。その他は図１の構成と変わらない。この構成によっても、子基板に配線パターンおよびスルーホールを設ける必要がなく、コストの低減を図ることができる。
【００２６】
【発明の効果】
以上説明したように本発明によれば、子基板に配線パターンおよびスルーホールを設けることなく子基板と親基板とを適切に半田付して固定することのできるので、コストの低減を図ることができる。
【図面の簡単な説明】
【図１】本発明に係るプリント配線板の構成を説明する斜視図。
【図２】本発明に係るバーコードスキャナの構成を説明するブロック図。
【図３】本発明に係るバーコードスキャナの要部構成を説明する斜視図。
【図４】本発明に係るプリント配線板における第１の変形例を説明する要部斜視図。
【図５】本発明に係るプリント配線板における第２の変形例を説明する要部斜視図。
【図６】従来例に係るプリント配線板の構成を説明する斜視図。
【符号の説明】
１  親基板
２  子基板
１１  穴
１２  配線パターン
１３  ランド部
２１  脚部
３０  コイル
４０  制御部
４１  発光部
４２  走査ユニット
４３  受光部
４４  デコード部
【図１】
0003966724.tif 000002
【図２】
0003966724.tif 000003
【図３】
0003966724.tif 000004
【図４】
0003966724.tif 000005
【図５】
0003966724.tif 000006
【図６】
0003966724.tif 000007